(57)【要約】【課題】この発明は、処理効率を低下することなく、偽券による不正取引を防止できる紙幣処理装置、および紙幣処理方法を提供することを課題とする。【解決手段】紙幣処理装置１は、紙幣を取り込む入出金ユニット３、紙幣の金種および真贋を鑑査する鑑査ユニット４、金庫５、６、７、および鑑査済の紙幣を一時的に保留する一時保留ユニット８を有する。１万円を取り込んで９千円を返却する取引が選択された場合、投入された１万円札が鑑査ユニット４で再鑑査される。【選択図】    図１
2004287512.tif 000002
【特許請求の範囲】
【請求項１】
紙幣を取り込むとともに、取引に応じた釣り札を返却する入出金部と、
この入出金部を介して取り込んだ紙幣の金種および真贋を鑑査する鑑査部と、
鑑査済の紙幣を一時的に保留する保留部と、
紙幣を金種毎に収納した複数の金庫と、
当該取引で返却する予定の釣り札の金額が上記保留部に保留している紙幣の金額のＲ［％］未満である場合、この釣り札を上記金庫から取り出して上記入出金部を介して返却し、上記返却予定金額が上記保留している紙幣の金額のＲ［％］以上である場合、保留している紙幣を上記鑑査部で再鑑査する制御部と、
を備えていることを特徴とする紙幣処理装置。
【請求項２】
上記鑑査部は、上記再鑑査のとき、予め用意した偽券パターンを用いたパターンマッチングにより当該紙幣の真贋を判定することを特徴とする請求項１に記載の紙幣処理装置。
【請求項３】
上記制御部は、上記再鑑査の結果、当該紙幣が偽券であることを判定した場合、当該紙幣を保留して偽券が投入されたことを通知することを特徴とする請求項１または２に記載の紙幣処理装置。
【請求項４】
上記制御部は、上記再鑑査の結果、当該紙幣が偽券ではないことを判定した場合、当該紙幣を上記保留部に再び保留し、当該取引に応じた釣り札を上記金庫から取り出して上記入出金部を介して返却することを特徴とする請求項１または２に記載の紙幣処理装置。
【請求項５】
上記制御部は、当該取引が成立して上記入出金部を介して釣り札を返却した後、上記保留部に保留している紙幣を上記金庫に収納することを特徴とする請求項１または４に記載の紙幣処理装置。
【請求項６】
上記Ｒ［％］は、９０［％］であることを特徴とする請求項１に記載の紙幣処理装置。
【請求項７】
入出金部を介して取り込んだ紙幣の金種および真贋を鑑査し、
鑑査済の紙幣を保留部に一時的に保留し、
当該取引で返却する予定の釣り札の金額が上記保留部に保留している紙幣の金額のＲ％未満である場合、この釣り札を金庫から取り出して上記入出金部を介して返却し、
上記返却予定金額が上記保留している紙幣の金額のＲ％以上である場合、保留している紙幣を再鑑査する、
ことを特徴とする紙幣処理方法。
【請求項８】
上記再鑑査では、予め用意した偽券パターンを用いたパターンマッチングにより当該紙幣の真贋を判定することを特徴とする請求項７に記載の紙幣処理方法。
【請求項９】
上記再鑑査の結果、当該紙幣が偽券であることを判定した場合、当該紙幣を保留して偽券が投入されたことを通知することを特徴とする請求項７または８に記載の紙幣処理方法。
【請求項１０】
上記再鑑査の結果、当該紙幣が偽券ではないことを判定した場合、当該紙幣を上記保留部に再び保留し、当該取引に応じた釣り札を上記金庫から取り出して上記入出金部を介して返却することを特徴とする請求項７または８に記載の紙幣処理方法。
【請求項１１】
当該取引が成立して上記入出金部を介して釣り札を返却した後、上記保留部に保留している紙幣を上記金庫に収納することを特徴とする請求項７または１０に記載の紙幣処理方法。
【請求項１２】
上記Ｒ％は、９０％であることを特徴とする請求項７に記載の紙幣処理方法。
【発明の詳細な説明】
【０００１】
【発明の属する技術分野】
この発明は、紙幣を取り込んで取引に応じた釣り札を返却する紙幣処理装置、および紙幣処理方法に係り、例えば、鉄道の駅に設置された券売機に搭載された紙幣処理装置、およびこの紙幣処理装置による紙幣の処理方法に関する。
【０００２】
【従来の技術】
従来、紙幣処理装置として、投入口１を介して投入した紙幣１０１を真偽判定した直後に、偽券であることが判定された場合、当該偽券を装置内に取り込まずに投入口１を介して瞬時に返却する装置が知られている（例えば、特許文献１参照。）。
【０００３】
この装置では、偽券を受け付けた際に瞬時に返却することで、処理時間を短縮することができ、迅速な処理が可能となる。
【０００４】
【特許文献１】
特開平８−８３３７０号公報（段落［００２２］［００２３］、図１、図４）
【０００５】
【発明が解決しようとする課題】
しかし、上述した従来の装置で、偽券を真券として受け付けないために、紙幣鑑査のチェックレベルを厳しくしたり、予め用意した偽券パターンを用いてチェックしたりすると、真券に対するチェックも厳しくなり、真券の受け付け率が低下する問題が生じる。
【０００６】
また、このようにチェックレベルを厳しくすると、紙幣１枚当りに要する処理時間が増大し、迅速な処理ができなくなってしまう。
【０００７】
この発明は、以上の点に鑑みなされたもので、その目的は、処理効率を低下することなく、偽券による不正取引を防止できる紙幣処理装置、および紙幣処理方法を提供することにある。
【０００８】
【課題を解決するための手段】
上記目的を達成するため、本発明の紙幣処理装置は、紙幣を取り込むとともに、取引に応じた釣り札を返却する入出金部と、この入出金部を介して取り込んだ紙幣の金種および真贋を鑑査する鑑査部と、鑑査済の紙幣を一時的に保留する保留部と、紙幣を金種毎に収納した複数の金庫と、当該取引で返却する予定の釣り札の金額が上記保留部に保留している紙幣の金額のＲ［％］未満である場合、この釣り札を上記金庫から取り出して上記入出金部を介して返却し、上記返却予定金額が上記保留している紙幣の金額のＲ［％］以上である場合、保留している紙幣を上記鑑査部で再鑑査する制御部と、を備えている。
【０００９】
また、本発明の紙幣処理方法によると、入出金部を介して取り込んだ紙幣の金種および真贋を鑑査し、鑑査済の紙幣を保留部に一時的に保留し、当該取引で返却する予定の釣り札の金額が上記保留部に保留している紙幣の金額のＲ％未満である場合、この釣り札を金庫から取り出して上記入出金部を介して返却し、上記返却予定金額が上記保留している紙幣の金額のＲ％以上である場合、保留している紙幣を再鑑査することを特徴とする。
【００１０】
上記発明によると、取り込んだ紙幣を鑑査して一旦保留し、当該取引に応じた釣り札の金額が保留した紙幣の金額に対して一定の割合を超えている場合に、保留している紙幣を再鑑査するようにしている。このため、釣り札が一定の割合を下回る取引に関しては通常処理ができ、装置の処理効率が低下することを防止できる。また、釣り札が一定の割合を超える場合にのみ再鑑査するため、釣り札金額の比較的多い取引に関してのみ、偽券の投入をより高いレベルでチェックでき、偽券による不正取引を防止できる。
【００１１】
【発明の実施の形態】
以下、図面を参照しながらこの発明の実施の形態について詳細に説明する。
【００１２】
図１には、この発明の実施の形態に係る紙幣処理装置１（以下、単に処理装置１と称する）の概略構造を示してある。ここでは、この処理装置１を鉄道の駅に設置された券売機１００（図２参照）に搭載した場合を例にとって説明する。
【００１３】
処理装置１は、券売機１００に組み込まれる筐体２を有する。筐体２内の所定位置、すなわち券売機１００の紙幣投入口（図示せず）に対向する位置には、本発明の入出金部として機能する入出金ユニット３が設けられている。入出金ユニット３は、券売機１００に投入された紙幣を筐体２内に取り込むとともに、券売機１００における取引内容に応じた釣り札を筐体２から排出（返却）するように機能する。
【００１４】
この他に、筐体２内には、この発明の鑑査部として機能する鑑査ユニット４、３つの金庫５、６、７、およびこの発明の保留部として機能する一時保留ユニット８が設けられている。
【００１５】
鑑査ユニット４は、入出金ユニット３を介して筐体２内に取り込んだ紙幣の金種および真贋を鑑査する。また、鑑査ユニット４は、後述する再鑑査時に、当該券売機１００に投入される可能性の高い偽札（偽券）のパターン（偽券パターン）を用いてパターンマッチングを行なうことにより、紙幣の真贋をより高いチェックレベルで判定する。
【００１６】
各金庫５、６、７は、流通している紙幣を金種毎に予め所定枚数ずつ収納しており、釣り札を必要な枚数だけ放出する機能を有する。また、各金庫５、６、７は、入出金ユニット３を介して取り込んで一時保留ユニット８に一時的に保留した紙幣を、取引が成立した後、その金種毎に収納する。
【００１７】
一時保留ユニット８は、入出金ユニット３を介して筐体２内に取り込んで鑑査ユニット４を通過した鑑査済の紙幣を、当該紙幣に関する取引が終了するまで一時的に保留する。そして、当該紙幣に関する取引が終了した後、保留した紙幣を放出する機能を有する。
【００１８】
図２には、上述した処理装置１、およびこの処理装置１を搭載した券売機１００の制御系のブロック図を示してある。
【００１９】
処理装置１は、上述した入出金ユニット３、鑑査ユニット４、金庫５、６、７、および一時保留ユニット８を制御する制御部１０を有する。制御部１０には、上述した偽券パターンを記憶したメモリ９が接続されている。また、制御部１０には、券売機１００の動作を制御するメイン制御部１１０が接続されている。
【００２０】
メイン制御部１１０には、処理装置１の他に、操作・表示部１０２、発券処理部１０４、およびカード処理部１０６が接続されている。操作・表示部１０２は、券売機１００を利用する利用者による各種操作入力を受け付けるとともに、利用者に対して各種操作案内を表示する。発券処理部１０４は、操作・表示部１０２を介して利用者により入力された発券要求に応じて乗車券を作成して発行する。カード処理部１０６は、プリペイドカードを受け付けて取引内容に応じて磁気情報の書き換え処理を行なう。
【００２１】
次に、上述した処理装置１による紙幣の処理動作について、図３に示すフローチャートを参照して説明する。
【００２２】
利用者により券売機１００に紙幣が投入されると、入出金ユニット３が動作されて筐体２内に当該紙幣が取り込まれる（ステップ１）。取り込まれた紙幣は、鑑査ユニット４に送り込まれて、その金種および真贋が鑑査される（ステップ２）。鑑査済の紙幣は、一時保留ユニット８に送られて当該取引が終了するまで一時的に保留される（ステップ３）。
【００２３】
この間に、鑑査ユニット４における鑑査結果に基づいて、制御部１０にて当該紙幣の金種が判定され、メイン制御部１１０にて、当該券売機１００における当該取引に応じた釣り札の金額が算出される（ステップ４）。
【００２４】
偽札を券売機１００に投入して釣り札を不正に入手しようとする不正利用者は、最高額（日本の場合、１万円）の偽札を券売機１００に投入してその１０［％］の金額（千円）に満たない取引を選択し、９０［％］（Ｒ［％］）（９千円）の釣り札を不正に入手しようとする可能性が高い。このため、本実施の形態の処理装置１では、釣り札（この場合、硬貨の金額は関係ない）が投入された金額の９０［％］を超える（９千円となる）取引のときだけ、投入された当該紙幣を再鑑査のため鑑査ユニット４へ再供給し、チェックレベルを上げた、通常処理とは異なる処理に移行するようにした。
【００２５】
具体的には、本実施の形態では、釣り札の金額が９千円となる取引であることを制御部１０が判定した場合（ステップ４；ＹＥＳ）に、処理装置１に取り込んで一時保留ユニット８に保留している１万円札（偽券である可能性が高い）を鑑査ユニット４へ再び送り込み、チェックレベルを上げて再鑑査するようにした（ステップ５）。
【００２６】
再鑑査では、上述した１回目の鑑査（ステップ２）と同様の処理の他に、偽券のチェックレベルを上げるため、予め用意した偽券パターンを用いたパターンマッチング（ステップ６）により当該紙幣の真偽を判定するようにした（ステップ７）。このとき、偽券パターンは、制御部１０を介して、メモリ９から読み込まれる。
【００２７】
ステップ６のパターンマッチングにより当該紙幣が偽券であることが判定されると、当該紙幣が入出金ユニット３を介して排出されることなく筐体２内に保留され、券売機１００のメイン制御部１１０を介して、図示しない上位装置へ、偽券が投入されたことが通知される（ステップ８）。
【００２８】
一方、ステップ４で釣り札が９千円に満たないことが判断され（ステップ４；ＮＯ）、或いはステップ７で再鑑査した紙幣が真券であることが判断されると（この場合、再鑑査した紙幣が一時的に一時保留ユニット８に保留される）、釣り札の金額に応じて各金庫５、６、７から必要枚数の紙幣が放出され、入出金ユニット３を介して筐体２から排出される（ステップ９）。このようにして処理装置１から排出された釣り札は、券売機１００の図示しない返却口を介して利用者に返却される。
【００２９】
そして、当該取引に関する上述した一連の処理が終了して取引が成立したことが判断されると、入出金ユニット３を介して取り込んで一時保留ユニット８に保留している紙幣が所定の金庫５、６、７へ収納される（ステップ１０）。
【００３０】
尚、上述したステップ５、６の再鑑査は、券売機１００の場合、当該取引に応じた発券処理部１０４における切符の発行処理（発行はしない）中、またはカード処理部１０６におけるプリペイドカードの処理中に実施することができるため、再鑑査のために余計な時間を費やすことはなく、券売機１００の処理速度を維持できる。
【００３１】
以上のように、本実施の形態によると、不正取引による被害が大きい高額紙幣が投入され、且つ９０［％］以上の釣り札を返却する取引が選択された場合にのみ、投入された高額紙幣を再鑑査するようにした。再鑑査では、偽券パターンを用いたパターンマッチングを採用して、紙幣の真贋チェックレベルを通常処理より高くした。これにより、不正取引による被害が大きい場合にのみ選択的に紙幣のチェックレベルを厳しくでき、処理効率を低下することなく、偽券による不正取引を高い確率で防止できる。
【００３２】
尚、この発明は、上述した実施の形態に限定されるものではなく、この発明の範囲内で種々変形可能である。例えば、上述した実施の形態では、最高額紙幣を投入し且つその９０［％］以上の釣り札を返却する取引が選択された場合にのみ本発明の処理を適用したが、投入される紙幣の金額や釣り札の割合は任意に設定でき、上述した実施の形態に限定されるものではない。
【００３３】
また、上述した実施の形態では、券売機１００に搭載された紙幣処理装置１について説明したが、これに限らず、他の機器に搭載される紙幣処理ユニットに本発明を適用することもできる。
【００３４】
さらに、上述した実施の形態では、日本で流通されている紙幣について代表して説明したが、これに限らず、他国の紙幣を処理する装置に本発明を適用することもできる。
【００３５】
【発明の効果】
以上説明したように、この発明の紙幣処理装置は、上記のような構成および作用を有しているので、処理効率を低下することなく、偽券による不正取引を防止できる。
【図面の簡単な説明】
【図１】この発明の実施の形態に係る紙幣処理装置の概略図。
【図２】図１の処理装置を含む券売機の制御系を示すブロック図。
【図３】図１の処理装置による処理動作を説明するためのフローチャート。
【符号の説明】
１…紙幣処理装置、２…筐体、３…入出金ユニット、４…鑑査ユニット、５、６、７…金庫、８…一時保留ユニット、９…メモリ、１０…制御部、１００…券売機。
【図１】
2004287512.tif 000003
【図２】
2004287512.tif 000004
【図３】
2004287512.tif 000005